(57)【特許請求の範囲】
【請求項１】
下枠を有した枠体と、この枠体に支持される一対の面材とを備えた建具であって、
前記下枠は、見込み方向に延びる見込み面部を有して構成され、前記一対の面材の召合せ位置下方における当該下枠には、当該面材の下部に当接可能な気密部材が取り付けられており、
前記見込み面部には、見込み方向室外側端部から下方に向かって突出する折曲片部と、
前記気密部材の取付位置に対応して当該見込み面部を切除した切除部と、当該見込み面部を貫通した貫通孔とが形成され、
前記気密部材は、前記見込み面部の上面に当接可能な底面部と、この底面部から下方に突出する第１突起部と、前記底面部から下方に突出して前記見込み面部の前記切除部側端縁と対向する垂下片部と、この垂下片部の側面から突出して前記見込み面部の下面側に突出する第２突起部とを有して形成され、前記底面部は前記垂下片部側が上方に移動するように折り曲げ可能とされ、
前記気密部材は、その垂下片部と前記切除部側端縁とが対向しない取付前状態において前記第１突起部が前記貫通孔に挿入可能に構成されるとともに、前記第１突起部が前記貫通孔に挿入された状態で水平方向に回転され、前記第２突起部が前記見込み面部の下面側に挿入されることで、前記垂下片部と前記切除部側端縁とが対向する取付状態となり、前記取付状態において前記第１突起部が前記貫通孔に抜け出し不能に係合され、かつ前記第２突起部が前記折曲片部の室内側側面に当接可能に構成されている建具。
【請求項２】
前記下枠は、前記面材を支持するレールを有して形成され、
前記気密部材は、前記取付状態において当該気密部材の室内側端部が前記レールの室外側側面に当接可能に設けられている請求項１に記載の建具。
【発明の詳細な説明】
【技術分野】
【０００１】
本発明は、建具に関し、詳しくは、下枠に気密部材が取り付けられた建具に関する。
【背景技術】
【０００２】
従来、引違い窓等の建具において、室内外の障子（面材）は召合せ部にて見込み方向に重なって閉じるようになっており、この召合せ部の下方に位置する下枠略中央には、室内外の障子の各々に当接することで建具の気密性や水密性を確保するための気密部材（風止板）が取り付けられている。
このような気密部材は、ゴム製等の弾性部品から構成され、室内外の障子の下面や側面に摺接するとともに、それらの召合せ部下側と下枠との隙間を塞ぐことによって、室内外の空気の流通を遮断するとともに、室外側から雨水等が室内空間に浸入するのを阻止できるように構成されている。
【０００３】
気密部材の下枠への取付構造としては、ビス等の固着具を用いたものが一般的であるが、下枠の見込み面の一部に形成した切り欠きと貫通孔とを利用したものも提案されている（例えば、特許文献１参照）。
特許文献１に記載された気密部材は、下枠見込み面の上面に設置される本体と、この本体から延びる折返し部と、この折返し部から突出する係合突部とを有して形成され、本体を下枠見込み面上に載置した状態で、その折返し部を下枠の切り欠きから見込み面下側に折り返し、係合突部を見込み面の貫通孔に挿通させるとともに本体底面の被係合孔に係合させることで、当該気密部材が下枠に取り付けられるようになっている。
【先行技術文献】
【特許文献】
【０００４】
【特許文献１】特開２００６−２１４２２８号公報
【発明の概要】
【発明が解決しようとする課題】
【０００５】
しかしながら、前記特許文献１に記載された気密部材の取付構造では、１個の係合突部を下枠見込み面の貫通孔に挿通させるとともに本体の被係合孔に係合させるだけなので、気密部材が下枠見込み面の面内で回転してしまう可能性があり、気密性や止水性が低下してしまう可能性がある。さらに、気密部材の本体に対して、折返し部と反対側の側方から力が加わった場合には、本体が下枠見込み面から浮き上がるように移動しやすく、係合突部が被係合孔から抜け出すことで気密部材が下枠から外れてしまう可能性がある。また、気密部材が外れにくくするためには、係合突部と被係合孔とを強く係合させる方法が考えられるものの、このようにすると気密部材を取り付ける際の取付作業が困難になり、係合不良が起きやすくなるとともに、下枠見込み面の下面側における係合不良が発見しにくいことから、取付状態を確実なものとする点で問題である。
【０００６】
本発明の目的は、下枠に対して気密部材を容易かつ確実に取り付けることができ、この取付状態を維持することで気密性や水密性を確保することができる建具を提供することにある。
【課題を解決するための手段】
【０００７】
本発明の建具は、下枠を有した枠体と、この枠体に支持される一対の面材とを備えた建具であって、前記下枠は、見込み方向に延びる見込み面部を有して構成され、前記一対の面材の召合せ位置下方における当該下枠には、当該面材の下部に当接可能な気密部材が取り付けられており、前記見込み面部には、見込み方向室外側端部から下方に向かって突出する折曲片部と、前記気密部材の取付位置に対応して当該見込み面部を切除した切除部と、当該見込み面部を貫通した貫通孔とが形成され、前記気密部材は、前記見込み面部の上面に当接可能な底面部と、この底面部から下方に突出する第１突起部と、前記底面部から下方に突出して前記見込み面部の前記切除部側端縁と対向する垂下片部と、この垂下片部の側面から突出して前記見込み面部の下面側に突出する第２突起部とを有して形成され、前記底面部は前記垂下片部側が上方に移動するように折り曲げ可能とされ、前記気密部材は、その垂下片部と前記切除部側端縁とが対向しない取付前状態において前記第１突起部が前記貫通孔に挿入可能に構成されるとともに、前記第１突起部が前記貫通孔に挿入された状態で水平方向に回転され、前記第２突起部が前記見込み面部の下面側に挿入されることで、前記垂下片部と前記切除部側端縁とが対向する取付状態となり、前記取付状態において前記第１突起部が前記貫通孔に抜け出し不能に係合され、かつ前記第２突起部が前記折曲片部の室内側側面に当接可能に構成されていることを特徴とする。
【０００８】
ここで、本発明の建具としては、引違い窓であってもよいし片引き窓であってもよい。すなわち、一対の面材がそれぞれ開閉自在に設けられていてもよいし、一対の面材のうち一方の面材が開閉自在に他方の面材が開閉不能に支持されていてもよい。
以上の本発明によれば、下枠における見込み面部の貫通孔に第１突起部を係合させるとともに、折曲片部の室内側側面に第２突起部を当接させる、すなわち少なくとも２箇所で係合させて気密部材を下枠に取り付けることで、気密部材の回転を防止してガタツキを抑制した取付状態を維持することができ、気密性や水密性を確保することができる。
また、このような本発明によれば、底面部を折り曲げることにより垂下片部や第２突起部が見込み面部と干渉しない状態で気密部材を水平方向に回動させることができ、気密部材の取付作業や取外作業を容易に実施することができる。また、折り曲げた底面部を戻すだけで、垂下片部が切除部側から見込み面部の端縁を覆うとともに、第２突起部が見込み面部の下面に係合するようにでき、容易かつ確実な取付作業によって気密部材を取り付けることができる。
【０００９】
さらに、本発明の建具では、前記下枠は、前記面材を支持するレールを有して形成され、前記気密部材は、前記取付状態において当該気密部材の室内側端部が前記レールの室外側側面に当接可能に設けられていることが好ましい。
このような構成によれば、レールの室外側側面に気密部材の室内側端部を当接させることで、取付状態における気密部材の回転をさらに確実に防止することができ、ガタツキをさらに抑制した適正な取付状態を良好に維持させることができる。
【図面の簡単な説明】
【００１１】
【図１】本発明の実施形態に係る建具を示す縦断面図である。
【図２】前記建具を示す横断面図である。
【図３】前記建具における下枠を示す斜視図である。
【図４】前記下枠の一部を断面して示す正面図である。
【図５】前記下枠に設けられる気密部材を示す斜視図である。
【図６】前記気密部材の取付手順を示す斜視図である。
【図７】図６に続く前記気密部材の取付手順を示す斜視図である。
【図８】図７に続く前記気密部材の取付手順を示す斜視図である。
【発明を実施するための形態】
【００１２】
以下、本発明の一実施形態に係る建具としての引違い窓１を図面に基づいて説明する。
図１および図２において、引違い窓１は、戸建て住宅等の建物の外壁開口部に設けられて建物の室内空間と室外空間とを仕切る掃き出し窓であって、上枠２、下枠３、および左右の縦枠４を四周枠組みした枠体としての窓枠５と、この窓枠５の内部に開閉自在に支持された室内外一組の障子６，７とを備えて構成されている。室内外の障子６，７（室内側障子６および室外側障子７）は、それぞれ上框６１，７１、下框６２，７２、および左右の縦框６３，６４，７３，７４を四周框組みした内部に、ガラスパネル（複層ガラス）６５，７５を嵌め込んで構成されている。室内外の障子６，７は、各々の上框６１，７１および摺動片が上枠２の室内外のレール２Ａ，２Ｂに案内されるとともに、６２，７２に設けられた戸車６６，７６が下枠３の室内外のレール３Ａ，３Ｂ（室内側レール３Ａおよび室外側レール３Ｂ）に案内されることで、左右に開閉可能に構成されている。
【００１３】
また、図１に示すように、室内外の障子６，７の上框６１，７１には、内外一対の気密材６１Ａ，７１Ａが取り付けられ、これらの気密材６１Ａ，７１Ａがレール２Ａ，２Ｂに摺接可能となっている。さらに、下枠３には、室内外の気密材３Ｃ，３Ｄが設けられ、これらの気密材３Ｃ，３Ｄが室内外の障子６，７の下框６２，７２の室内側面に摺接可能になっている。一方、図２に示すように、図中右側の縦枠４における見込み方向室内位置には、室外側に面して気密材４Ａが設けられ、図中左側の縦枠４における見込み方向中間位置には、室外側に面して気密材４Ｂが設けられ、これらの気密材４Ａ，４Ｂがそれぞれ室内外の障子６，７の縦框（戸先框）６４，７３の室内側面に当接可能となっている。そして、室内外の障子６，７は、図２に示すように、室外側障子７の縦框７３が図中左側の縦枠４に当接し、室内側障子６の縦框６４が図中右側の縦枠４に当接するとともに、互いの縦框（召合せ框）６３，７４が窓枠５の左右方向中間位置（召合せ部Ａ）で見込み方向に重なることで閉鎖され、この閉鎖状態において錠装置８で施錠可能に構成されている。
【００１４】
下枠３は、図３にも示すように、室内側の立上面部３１と、この立上面部３１から室外側に延びる上下２枚の延出面部３２，３３と、上側の延出面部３２から立ち上がる室内側レール３Ａと、室内側レール３Ａに連続して下方に延びる仕切り面部３４と、仕切り面部３４の室外側側面から見込み方向室外側に略水平に延びる見込み面部３５と、仕切り面部３４の下端に連続して折り曲がりつつ室外側に延びる下枠底面部３６と、下枠底面部３６の室外側端部近傍から立ち上がる室外側レール３Ｂとを有して形成されている。気密材３Ｃは、立上面部３１の上端部室外側に取り付けられ、気密材３Ｄは、見込み面部３５の室外側端部から下方に折れ曲がる折曲片部３７の室外側に取り付けられている。このような下枠３において、室内外の障子６，７の召合せ部Ａに対応した位置（下枠３の長手方向略中央）には、立上面部３１と室内側レール３Ａとの間で延出面部３２上に設置される室内側気密部材９と、室内側レール３Ａよりも室外側にて見込み面部３５上に設置される気密部材としての室外側気密部材１０とが取り付けられている。そして、室外側気密部材１０の取付位置に対応した下枠３には、見込み面部３５および折曲片部３７を切除した切除部３８と、この切除部３８近傍で見込み面部３５を貫通した貫通孔３９とが形成されている。
【００１５】
室外側気密部材１０は、ゴム等の弾性体から一体成形され、図４、図５にも示すように、見込み面部３５の上面に当接可能な底面部１１と、この底面部１１から上方に突出して室内側障子６の下面に摺接可能な複数枚（実施形態では４枚）のヒレ部１２と、底面部１１から下方に突出する第１突起部１３と、底面部１１から見込み面部３５の切除部３８側端縁に沿って下方に延びるとともに見込み面部３５の切除部３８側端縁と対向する垂下片部１４と、この垂下片部１４の側面（見付け方向に向かう側面）から見付け方向に突出するとともに見込み面部３５の下面側に延びる第２突起部１５とを有して形成されている。ヒレ部１２は、切除部３８側から順に第１ヒレ部１２Ａ、第２ヒレ部１２Ｂ、第３ヒレ部１２Ｃおよび第４ヒレ部１２Ｄで構成され、第２および第３のヒレ部１２Ｂ，１２Ｃが第１および第４のヒレ部１２Ａ，１２Ｄよりも若干上方に長く形成され、第２ヒレ部１２Ｂと第３ヒレ部１２Ｃとの間、および第３ヒレ部１２Ｃと第４ヒレ部１２Ｄの間には、底面部１１から立ち上がって当該ヒレ部１２同士を連結するリブ部１６が形成されている。また、底面部１１のうち、第１ヒレ部１２Ａと第２ヒレ部１２Ｂとの間は、リブ等が形成されず、かつ他のヒレ部１２Ｂ，１２Ｃ，１２Ｄ同士の間よりも間隔寸法が長く形成された平坦部１１Ａが形成されている。つまり、第１ヒレ部１２Ａと第２ヒレ部１２Ｂと底面部１１とで形成する凹部（正面視）は、第２ヒレ部１２Ｂと第３ヒレ部１２Ｃと底面部１１とで形成する凹部、および、第３ヒレ部１２Ｃと第４ヒレ部１２Ｄと底面部１１とで形成する凹部よりも底面部分が幅広に形成されている。
【００１６】
第１突起部１３は、底面部１１から下方に延びる軸部１３Ａと、この軸部１３Ａの先端に連続する長突起部１３Ｂとで構成され、長突起部１３Ｂは、図４に示す見込み面部３５への取付状態において、下枠３の長手方向（図４の左右方向、見付け方向）に長く形成されている。一方、見込み面部３５の貫通孔３９は、図３に示すように、見込み方向（室内外方向）に長い長孔として形成されている。そして、第１突起部１３の軸部１３Ａは、見込み面部３５の板厚分だけの長さを有するとともに、貫通孔３９にほぼ隙間なく挿通された状態で回転軸として機能するようになっている。このような第１突起部１３は、長突起部１３Ｂの長手方向を見込み方向に合わせた状態で第１突起部１３の長突起部１３Ｂが貫通孔３９を挿通可能、軸部１３Ａを中心に室外側気密部材１０を水平方向に回転させて長突起部１３Ｂの長手方向を見込み方向と交差させた状態（長突起部１３Ｂの長手方向を見付け方向に合わせた状態）で、第１突起部１３の長突起部１３Ｂが貫通孔３９を挿通不能に構成されている。すなわち、第１突起部１３は、長突起部１３Ｂを貫通孔３９に挿通させてから室外側気密部材１０を回転させることで、貫通孔３９周辺の見込み面部３５に長突起部１３Ｂが係合可能（つまり、第１突起部１３が貫通孔３９から抜け出し不能）に構成されている。
【００１７】
第２突起部１５は、底面部１１との間に見込み面部３５の板厚分だけの隙間を有するとともに、折曲片部３７の見込み方向室内側側面に当接可能な位置に設けられており、第２突起部１５と底面部１１とで見込み面部３５を挟み込み、第２突起部１５が折曲片部３７に当接することで、室外側気密部材１０の垂下片部１４側が見込み面部３５に係合可能に構成されている。また、底面部１１の平坦部１１Ａは、第２〜第４ヒレ部１２Ｂ，１２Ｃ，１２Ｄ側に対して第１ヒレ部１２Ａおよび垂下片部１４側が上下に弾性変形可能に構成され、このように平坦部１１Ａが弾性変形することで、切除部３８側から第２突起部１５を見込み面部３５および折曲片部３７に係合させる、または係合を解除することができるようになっている。すなわち、第１ヒレ部１２Ａと第２ヒレ部１２Ｂとの間に位置する平坦部１１Ａには、第２〜第４のヒレ部１２Ｂ，１２Ｃ，１２Ｄ間の底面部１１のようなリブ部１６が形成されず、かつ平坦部１１Ａが相対的に長く形成されていることから、変形させやすくなっている。
【００１８】
以上のような室外側気密部材１０の下枠３に対する取付手順を図６〜図８に基づいて説明する。
先ず、図６に示すように、第１ヒレ部１２Ａおよび垂下片部１４を室外側に向けて第４ヒレ部１２Ｄを室内側に向けた状態の室外側気密部材１０を下枠３の上方から見込み面部３５に向かって位置させ、すなわち第１突起部１３の長突起部１３Ｂの長手方向を貫通孔３９の長手方向である見込み方向に合わせ、この第１突起部１３を貫通孔３９に挿通して室外側気密部材１０を取付前状態とさせる。
次に、図７に示すように、第１ヒレ部１２Ａおよび垂下片部１４側が上方に移動するように平坦部１１Ａを弾性変形させ、垂下片部１４および第２突起部１５が見込み面部３５および折曲片部３７を回避できるようにしつつ、第１ヒレ部１２Ａおよび垂下片部１４が切除部３８側に位置するように、第１突起部１３の軸部１３Ａを中心にして室外側気密部材１０を水平方向に回転させる。このように室外側気密部材１０を回転させることで、第１突起部１３の長突起部１３Ｂの長手方向が下枠３の長手方向に平行となり、貫通孔３９の長手方向と交差することで、長突起部１３Ｂが貫通孔３９周囲の見込み面部３５下面に係合されることとなる。
【００１９】
次に、図８に示すように、垂下片部１４が見込み面部３５および折曲片部３７の切除部３８側端縁を覆うように、平坦部１１Ａの変形を解除して初期状態に戻す。これにより、第２突起部１５が見込み面部３５の下面および折曲片部３７の室内側側面に係合されることとなり、室外側気密部材１０は、第１突起部１３および第２突起部１５の２箇所が係合した取付状態で下枠３に取り付けられる。
以上のようにして下枠３に取り付けられた室外側気密部材１０は、その底面部１１の下面が見込み面部３５の上面に密接し、底面部１１およびヒレ部１２の室内側側端縁が室内側レール３Ａの室外側側面に当接し、底面部１１の下面における室外側端部が気密材３Ｄの上面に当接するようになっている。さらに、室外側気密部材１０は、ヒレ部１２の上端縁が室内側障子６の下面（下框６２等）に摺接可能で、かつヒレ部１２の室外側端縁が室外側障子７の下部（下框７２等）室内側側面に摺接可能になっている。
【００２０】
以上の実施形態によれば、第１突起部１３を貫通孔３９周囲の見込み面部３５に係合させるとともに、第２突起部１５を見込み面部３５の下面および折曲片部３７の室内側側面に係合させることで、室外側気密部材１０が２箇所で下枠３に係合されて取り付けられ、室外側気密部材１０の回転を防止して取付状態を維持することができ、気密性や水密性を確保することができる。また、下枠３に対して上方から室外側気密部材１０の取付作業を実施することができるので、第１突起部１３や第２突起部１５の係合状態を確認しながら作業することができ、容易な作業で係合不良を確実に防止することができ、良好な取付状態を確保することができる。
【００２１】
なお、本発明は、前記実施形態に限定されるものではなく、本発明の目的を達成できる他の構成等を含み、以下に示すような変形等も本発明に含まれる。
例えば、前記実施形態においては、室内外一対の障子６，７を有する引違い窓１を例示して説明したが、本発明の建具は、室内外の障子６，７のうちのいずれか一方を窓枠５に移動不能に固定した片引き窓であってもよい。
また、前記実施形態において、引違い窓１は、室内空間と室外空間とを仕切るものを例示したが、本発明の建具は室内外を仕切るものに限らず、例えば、隣り合う部屋等の空間同士を仕切る出入り口であってもよい。
【００２２】
また、前記実施形態において、見込み面部３５の貫通孔３９は見込み方向に長く形成され、室外側気密部材１０における第１突起部１３の長突起部１３Ｂは、取付状態において下枠３の長手方向に長く形成されていたが、このような構成に限られない。すなわち、貫通孔３９と長突起部１３Ｂとは、室外側気密部材１０を所定の向きに回動させた状態で挿通可能で、かつ室外側気密部材１０の取付状態で挿通不能に係合されるものであればよく、それらの形成方向は特に限定されない。
また、ヒレ部１２の枚数は４枚に限らず、それよりも少なくても多くても構わない。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…引違い窓（建具）、３…下枠、３Ａ…室内側レール、３Ｂ…室外側レール、５…窓枠（枠体）、６…室内側障子、７…室外側障子、１０…室外側気密部材（気密部材）、１１…底面部、１３…第１突起部、１３Ｂ…長突起部、１４…垂下片部、１５…第２突起部、３５…見込み面部、３７…折曲片部、３８…切除部、３９…貫通孔。
【図１】
0005391125.tif 000002
【図２】
0005391125.tif 000003
【図３】
0005391125.tif 000004
【図４】
0005391125.tif 000005
【図５】
0005391125.tif 000006
【図６】
0005391125.tif 000007
【図７】
0005391125.tif 000008
【図８】
0005391125.tif 000009